(57)【要約】【課題】眼鏡の鼻パッドを利用せずに、眼鏡を頭部に固定する。【解決手段】眼鏡保持用治具１は、利用者の耳周辺領域に配置されて耳周辺領域と当接して固定されるサイド固定部１０と、利用者の後頭部領域に配置されて後頭部領域と当接して固定される後方固定部２０と、サイド固定部１０と後方固定部２０を連結する連結部材３０と、利用者の耳周辺領域に配置されて利用者が装着する眼鏡のテンプル部又はモダン部を着脱自在に保持する眼鏡保持部４０を備えるようにした。【選択図】図１
2013020102.tif 000002
【特許請求の範囲】
【請求項１】
利用者の耳周辺領域に配置されて、該耳周辺領域と当接して固定されるサイド固定部と、
利用者の後頭部領域に配置されて、該後頭部領域と当接して固定される後方固定部と、
前記サイド固定部と前記後方固定部を連結する連結部材と、
利用者の耳周辺領域に配置されて、該利用者が装着する眼鏡のテンプル部又はモダン部を着脱自在に保持する眼鏡保持部と、
を備える事を特徴とする眼鏡保持用治具。
【請求項２】
前記眼鏡保持部は、前記眼鏡の前記眼鏡の前記テンプル部又は前記モダン部を、上下方向に移動自在に保持することを特徴とする、
請求項１に記載の眼鏡保持用治具。
【請求項３】
前記眼鏡保持部に対して前方又は後方に配置されて、前記眼鏡の前記テンプル部又は前記モダン部を着脱自在に保持する補助眼鏡保持部を備える事を特徴とする、
請求項１又は２に記載の眼鏡保持用治具。
【請求項４】
前記補助眼鏡保持部は、前記眼鏡の前記眼鏡の前記テンプル部又は前記モダン部を、上下方向に移動自在に保持することを特徴とする、
請求項３に記載の眼鏡保持用治具。
【発明の詳細な説明】
【技術分野】
【０００１】
本発明は、眼鏡を頭部に固定する為の治具に関する。
【背景技術】
【０００２】
従来、眼鏡のフレームは、レンズを保持するフロント部と、このフロント部の両側に配置されて使用者の耳に係合するテンプル部を備える。フロント部の中央には鼻当てパッドが取り付けられており、これによって眼鏡が下側にずれることを防止する。
【０００３】
レンズを含むフロント部の重量は、鼻当てパッドを介して鼻にかかる。従って、長時間に亘って眼鏡を使用すると、不快感・疲労感を感じる人も多い。また、この鼻当てパッドによって鼻に圧痕が形成されたり、肌が赤く変色したりするので、特に女性は、眼鏡の着用を出来る限り避けたい傾向がある。
【０００４】
そこで近年、鼻当てパッドを使用しないで頭部に固定できる眼鏡が提案されている。例えば特許文献１は、テンプル部に支持部材を設け、この支持部材を使用者のこめかみに押圧することで、鼻当てパッドを代用する眼鏡が開示されている。
【０００５】
また特許文献２には、眼鏡の一方のテンプル部と長大化して、半円弧形状のバンドを形成し、このバンドによって後頭部を抱きかかえるようにして、眼鏡全体を保持する構造が開示されている。
【先行技術文献】
【特許文献】
【０００６】
【特許文献１】ＷＯ２００９／０９０７３３号公報
【特許文献２】特開２００３−３１５７４２号公報
【発明の概要】
【発明が解決しようとする課題】
【０００７】
特許文献１の技術は、支持部材によってこめかみを押圧する構造であることから、長時間に亘って使用すると、鼻当てパッドど同様にこめかみに圧痕が形成される。また、こめかみ部分が押圧されることにより、不快感・疲労感を感じる。一方、圧痕を軽減するために、支持部材による押圧力を極力弱くすると、会話や食事による顎の動作に伴って、こめかみ部分の皮膚が動くため、眼鏡の自重によって支持部材が次第に下側にずれてしまうという問題があった。
【０００８】
また特許文献２では、眼鏡フレーム全体が大型化し、携帯性に欠けるという問題があった。
【０００９】
ところで眼鏡の利用者は、眼鏡販売店において、様々なデザインや色の眼鏡フレームから、自分の好みに合うものを購入する。しかし、特許文献１、２のような専用の眼鏡フレームの場合、限られたデザインや色から選択しなければならない。既にお気に入りの眼鏡を持っている使用者も、これらの眼鏡フレームに買い換えなければならないという不都合がある。
【００１０】
本発明は上記問題点に鑑みてなされたものであり、既存の眼鏡を利用可能としながらも、鼻当てパッドを鼻から浮かすことが可能な眼鏡保持用治具を提供することを目的としている。
【課題を解決するための手段】
【００１１】
上記目的を達成する本発明は、利用者の耳周辺領域に配置されて、該耳周辺領域と当接して固定されるサイド固定部と、利用者の後頭部領域に配置されて、該後頭部領域と当接して固定される後方固定部と、前記サイド固定部と前記後方固定部を連結する連結部材と、利用者の耳周辺領域に配置されて、該利用者が装着する眼鏡のテンプル部又はモダン部を着脱自在に保持する眼鏡保持部と、を備える事を特徴とする眼鏡保持用治具である。
【００１２】
上記発明に関連して、上記眼鏡保持用治具の眼鏡保持部は、前記眼鏡の前記眼鏡の前記テンプル部又は前記モダン部を、上下方向に移動自在に保持することを特徴とする。
【００１３】
上記発明に関連して、上記眼鏡保持用治具は、前記眼鏡保持部に対して前方又は後方に配置されて、前記眼鏡の前記テンプル部又は前記モダン部を着脱自在に保持する補助眼鏡保持部を備える事を特徴とする。
【００１４】
上記発明に関連して、上記眼鏡保持用治具の前記補助眼鏡保持部は、前記眼鏡の前記眼鏡の前記テンプル部又は前記モダン部を、上下方向に移動自在に保持することを特徴とする。
【発明の効果】
【００１５】
本発明によれば、眼鏡の鼻パッドを利用せずに、眼鏡を頭部に固定することができる。
【図面の簡単な説明】
【００１６】
【図１】（Ａ）は本発明の第１実施形態に係る眼鏡保持用治具の側面図であり、（Ｂ）は、（Ａ）におけるＢ−Ｂ矢視の正面図である。
【図２】（Ａ）は同眼鏡保持用治具の上面図であり、（Ｂ）は同眼鏡保持用治具を折りたたんだ状態の上面図である。
【図３】（Ａ）は本発明の第２実施形態に係る眼鏡保持用治具の側面図であり、（Ｂ）は同眼鏡保持用治具において眼鏡の保持角度を調節する状態を示す側面図であり、（Ｃ）は眼鏡の角度を維持しながら眼鏡保持用治具の設置角度を調節する状態を示す側面図である。
【図４】同眼鏡保持用治具の上面図である。
【図５】同眼鏡保持用治具の他の構成例を示す図である。
【図６】同眼鏡保持用治具の他の構成例を示す図である。
【発明を実施するための形態】
【００１７】
以下、図面を参照して、本発明の実施形態に係る眼鏡保持用治具について詳細に説明する。
【００１８】
図１には第１実施形態に係る眼鏡保持用治具１が示されている。この眼鏡保持用治具１は、利用者が着用している眼鏡５００を頭部に固定し、眼鏡５００の鼻パッド５１０を鼻から浮かすことを可能にする。
【００１９】
眼鏡保持用治具１は、一対のサイド固定部１０と、後方固定部２０と、連結部材３０と、眼鏡保持部４０を備えて構成される。
【００２０】
サイド固定部１０は、利用者の一対の耳周辺領域にそれぞれ配置されて、この耳周辺領域と当接して頭部に固定される。具体的にこのサイド固定部１０は、耳の上方に配置される棒状の部材であって、耳の上端部に引っかけられるか、または、頭部に対して弱い力で押しつけられるかによって、耳の上方に固定される。特に本実施形態のサイド固定部１０は、耳の前方に向かって下方側に湾曲した形状となっており、概して、眼鏡５００のモダン部５２０と前後反対形状となる。従って、サイド固定部１０が頭部後方にスライドしようとしても、耳の前縁と係合して後方への移動が規制される。
【００２１】
後方固定部３０は、利用者の後頭部領域に配置されて、この後頭部領域と当接して固定される。特に本実施形態では、スポンジやゴム、シリコンなどの弾性部材で構成されており、後頭部領域に対して摩擦係合又は髪の毛と係合することによって、頭頂側への移動が規制される。なお、ここでは後頭部領域に１つの後方固定部３０が配置される場合を例示したが、所定の間隔を空けて複数の後方固定部３０を配置しても良く、また、後述する連結部材３０を後頭部領域に直接接触させて、それ自体に後方固定部３０を兼ねさせることもできる。
【００２２】
連結部材３０は、サイド固定部１０と後方固定部２０を連結する棒状又は帯状のプラスチック部材で構成されている。図２に示されるように、この連結部材３０は、利用者の両耳から後頭部に亘って部分円弧形状に延びており、途中に、長さ調節機構３５が配置されている。この長さ調節機構３５は、中空のプラスチック部材の中に、ステンレス等の軸部材がスライド自在に挿入された構造となっており、このスライド量を調節することで、連結部材３０の長さを変更できる。なお、ここでは連結部材３０を部分円弧形状とする場合を例示するが、矩形形状やその他の形状を採用しても良い。
【００２３】
連結部材３０の途中の２箇所にはヒンジ部３８が設けられており、図２（Ｂ）に示されるように、このヒンジ部３８によって連結部材３０を折りたたむことが可能となっている。なお、連結部材３０の材料は樹脂、金属、シリコンなど自在に選定できる。
【００２４】
眼鏡保持部４０は、利用者の耳周辺領域に配置されて、利用者が装着する眼鏡５００のテンプル部５３０又はモダン部５２０を着脱自在に保持する。具体的に図１（Ｂ）に示されるように、眼鏡保持部４０は、サイド固定部１０又は連結部材３０に上下方向に固定されるネジ軸４２と、このネジ軸４２に対して螺合する基台４４と、この基台４４に設けられる溝状の受け部４６を備える。基台４４を回転させると、ネジ軸４２の軸方向に沿って基台４４が上下方向に移動する。受け部４６の溝は、頭部の前後方向に延びており、眼鏡５００のテンプル部５３０又はモダン部５２０が挿入されることによって、互いの摩擦力等によって係合して両者が固定される。従って、この眼鏡保持部４０のみによって眼鏡５００全体を保持することが可能となっている。基台４４を上下方向に移動させるだけで、眼鏡５００の保持高さを調節できる。
【００２５】
次に、この眼鏡保持用治具１の使用方法について説明する。図２（Ｂ）に示されるように、不使用時は、ヒンジ部３８によって連結部材３０を折りたたんで携帯する。使用時は、ヒンジ部３８によって連結部材３０を開放して図２（Ａ）の状態にし、長さ調節機構３５によって連結部材３０の長さを調整しながら、頭部の後方に眼鏡保持用治具１を装着する。その後、利用者が通常使用している眼鏡５００を、眼鏡保持部４０の受け部４６に固定する。眼鏡５００の前後方向の位置は、受け部４６の溝に沿って前後方向に移動させることで調節する。また、眼鏡５００の上下方向の位置は、眼鏡保持部４０の基台４４を上下方向にスライドさせることで調節する。なお、上下方向位置を調節する際は、一旦、眼鏡保持用治具１を頭部から脱着する必要があるが、一旦調節が完了すれば、その後は、殆ど変更する必要は無い。
【００２６】
眼鏡５００のフロント部は、レンズ等の自重によって下側にずれようとする。これに連動して、眼鏡保持部４０が下側にずれようとするが、この眼鏡保持部４０がサイド固定部１０によって頭部の両側面に固定されているので、下側への移動が抑制される。更に、眼鏡５００のフロント部の自重によって眼鏡保持部４０が回転しようとするが、その回転モーメントは、連結部材３０を介して後方固定部２０に作用する。後方固定部２０は、上方に移動できないようになっているので、眼鏡保持部４０の回転も抑制される。
【００２７】
結果、この眼鏡保持用治具１を用いれば、鼻パッド５１０が鼻から微小に浮き上がった状態で、眼鏡５００を頭部に固定することができる。また、眼鏡保持用治具１の受け部４６に対して、眼鏡５００を簡単に脱着することができるので、眼鏡５００の装着や離脱が極めて簡単となる。同時に、眼鏡保持用治具１と眼鏡５００が独立しているので、携帯性を高めることが出来る。
【００２８】
更にこの眼鏡保持用治具１では、特に頭部の前面側（顔側）や耳の内部など、違和感を感じやすい部分に対する接触を回避し、比較的感覚の鈍い耳の上方や後頭部側を利用して眼鏡保持用治具１を装着し、既存の眼鏡５００を固定できるので、快適な装着感を得ることが出来る。また、仮に外部の振動等が作用したり、食事や会話によってこめかみの皮膚を動かしたりしても、眼鏡５００の保持位置がずれることない。従って、鼻パッド５１０によって鼻に圧痕が残ったり、皮膚が赤くなったり、化粧が押してしまったりすることを防止できる。また、この眼鏡保持用治具１は、通常、髪の毛等によって部分的に隠れてしまうので、外観上も不自然さを感じさせることも少ない。特に、この眼鏡保持用治具１を黒や透明素材で構成すれば、一層、目立たなくなる。
【００２９】
また、この眼鏡保持用治具１を用いることで、専用の眼鏡５００を購入する必要が無くなることから、利用者は、既存の様々なデザインの眼鏡フレームを自在に選択することができる。また、眼鏡５００と眼鏡保持用治具１が独立しているので、それぞれを折りたたむことによって、携帯性を飛躍的に高めることが可能となる。
【００３０】
次に、第２実施形態の眼鏡保持用治具１０１について図３及ぶ図４を参照して説明する。なお、第１実施形態の眼鏡保持用治具１と同一又は類似する部品・部材については、互いの符号の下二桁を一致させることで、個別の説明を省略し、ここでは第１実施形態と異なる点を中心に説明する。
【００３１】
この眼鏡保持用治具１０１は、サイド固定部１１０と、後方固定部１２０と、連結部材１３０と、眼鏡保持部１４０と、補助眼鏡保持部１５０を備えて構成される。
【００３２】
サイド固定部１１０は、耳の上方の側頭部を押圧するパッド形状になっており、その摩擦力によって頭部に対して前後方向に固定される。勿論、サイド固定部１１０が下方に移動する場合は耳の上端縁と係合する。このサイド固定部１１０に眼鏡保持部１４０の受け部１４６が直接固定される。この受け部１４６によって眼鏡５００のテンプル部５３０又はモダン部５２０が保持される。なお、第１実施形態では、受け部とテンプル部５３０又はモダン部５２０が摩擦等によって強固に係合する場合を例示したが、この第２実施形態の眼鏡保持用治具１０１では、受け部１４６の溝の幅を、テンプル部５３０又はモダン部５２０の太さと比較して多少大きく設定しておき、受け部１４６に対して、テンプル部５３０又はモダン部５２０が簡単に着脱できることが好ましい。後述する補助眼鏡保持部１５０によって、眼鏡５００と眼鏡保持用治具１０１が十分にされるからである。
【００３３】
補助眼鏡保持部１５０は、眼鏡保持部１４０に対して後方に配置されて、眼鏡５００のテンプル部５３０又はモダン部５２０を更に着脱自在に保持する。詳細に、この補助眼鏡保持部１５０は、連結部材１３０に固定される台座１５２と、この台座１５２に対して上下方向に延びる金属プレート１５４を備える。この金属プレート１５４の平面は、頭部の前後方向と平行に配置される。一方、眼鏡５００のモダン部５２０には、側頭部に対向する磁石５８２付きのキャップ５８０が装着されている。
【００３４】
このキャップ５８０は、眼鏡５００のテンプル部５３０の金属棒を手作業で変形させると共に、モダン部５２０の樹脂材料を取り外してから装着する。従って、誰でも簡単にキャップ５８０を装着できる。既存のモダン部５２０に対して、磁石５８２のみをシール等で接着しても良い。
【００３５】
補助眼鏡保持部１５０は、自身の金属プレート１５４に対して、眼鏡５００側の磁石５８２を吸着させることによって、この眼鏡５００を保持する。磁石５８２をスライドさせれば、眼鏡５００のテンプル部５３０又はモダン部５２０を上下方向に自在に移動できる。
【００３６】
以上、第２実施形態の眼鏡保持用治具１０１では、眼鏡保持部１４０と補助眼鏡保持部１５０によって、テンプル部５３０又はモダン部５２０の二箇所を保持する。結果、眼鏡５００の保持状態を安定させることができる。また、この眼鏡保持用治具１０１では、補助眼鏡保持部１５０が眼鏡５００を上下方向に移動自在に保持する。例えば図３（Ｂ）に示されるように、眼鏡保持部１４０の保持位置に対して、補助眼鏡保持部１５０の保持位置を上下方向に変更することで、眼鏡５００の保持角度を好みに応じて調節できる。同様に、図３（Ｃ）に示されるように、眼鏡５００の保持角度は固定したまま、眼鏡保持用治具１０１の頭部への装着角度を好みに応じて調節できる。なお、ここでは特に図示しないが、金属プレート１５４の面積を前後方向に拡張すれば、眼鏡５００の前後方向位置もこの補助眼鏡保持部１５０によって自在に調節できる。更にこの眼鏡保持用治具１０１では、磁石５８２によって、眼鏡５００を簡単に脱着することができる。
【００３７】
なお、ここでは補助眼鏡保持部１５０の台座１５２や金属プレート１５４を、連結部材１３０に設置する場合を例示したが、本発明はこれに限定されない。例えばサイド固定部１１０や眼鏡保持部１４０側に設けることも可能である。また、ここでは磁石を眼鏡５００側に設置する場合を例示したが、眼鏡５００側には金属部材を設置し、眼鏡保持治具１０１側に磁石を設けるようにしても良い。勿論、上下方向にスライドできる構造であれば、例えばプラスチックの蛇腹係合など、他の様々な構造を採用できる。
【００３８】
また、この第２実施形態では、金属プレート１５４の平面を前後方向と平行に配置する場合を例示したが、本発明はこれに限定されない。例えば図５（Ａ）に示される第２実施形態の他の例のように、金属プレート１５４の平面を、前後方向に対して垂直となるように配置しても良い。この場合は、眼鏡５００側に装着するキャップ５８０の突端に磁石５８０を設置すれば良い。
【００３９】
更に第１、第２実施形態では、連結部材が、耳の上方から後頭部にかけて水平に配置される構造を例示したが、本発明はこれに限定されない。例えば図５（Ｂ）に示される第１実施形態の他の例ように、耳のから後頭部にかけて下側に湾曲させることも好ましい。また、この図５（Ｂ）に示されるように、連結部材における上端縁が、頭皮の平面に対して鋭角に交わるようにして、この連結部材自体が、後方固定部を兼ねるようにすることも好ましい。このようにすると、頭皮から下側に向かって伸びる毛髪Ｗと、連結部材（後方固定部）の上端縁が係合するので、連結部材が上方に移動することが更に抑制される。なお。、このように連結部材が後方固定部を兼ねる場合は、この連結部材の少なくとも表面をシリコン等の柔らかい材料で構成することが好ましい。
【００４０】
また更に、第１、第２実施形態では、眼鏡保持部が耳の真上に配置される場合を例示したが、本発明はこれに限定されない。例えば図６（Ａ）に示される第１実施形態の他の例のように、眼鏡保持部４０を耳の真上に対して前方側に配置させても良い。このようにすると、眼鏡５００のモダン部５２０をそのまま耳にかけながら、モダン部５２０の前方側を眼鏡保持部４０で保持することで、眼鏡５００を鼻から浮かせることが可能になる。このようにしても、眼鏡保持部４０が顔面に接触することを回避できるので、快適な装着感を得ることが出来る。特に図示しないが、補助眼鏡保持部も、眼鏡保持部に対して前方に配置することも可能である。
【００４１】
また例えば図６（Ｂ）に示される第１実施形態の他の例のように、眼鏡保持部４０を耳の真上に対して後方側に配置させても良い。この場合は、眼鏡保持部４０が、第２実施形態の補助眼鏡保持部と同様に、台座５２と、この台座５２に対して上下方向に延びる金属プレート５４を備えることが好ましい。一方、眼鏡５００のモダン部５２０には、側頭部に対向する磁石５８２付きのキャップ５８０を装着する。
【００４２】
このようにすると、眼鏡５００のモダン部５２０をそのまま耳にかけながら、モダン部５２０の後方側に設置される磁石５８２を利用して、眼鏡保持部４０の金属プレート５４で保持することができる。結果、眼鏡５００を鼻から浮かせることが可能になる。特に眼鏡保持部４０が、眼鏡５００を上下方向に移動自在に保持できるので、簡単な構造で、眼鏡５００の装着角度を自在に調節することができる。
【００４３】
更にまた、第１、第２実施形態では、連結部材がプラスチック等のある程度の剛性を有する材料で構成される場合を例示したが、本発明はこれに限定されず、ゴム紐などの紐状部材で構成することも可能である。この場合、一対のサイド固定部を耳に確実に係合させることによって、この一対のサイド固定部に渡される紐状部材に対して所定の張力を生じさせることが好ましい。
【００４４】
なお、上記実施形態では、鼻パッド付きの眼鏡を保持する場合を例示したが、これらの眼鏡保持用治具に合わせたようなデザイン、特に鼻パッドが無いデザインの眼鏡フレームを採用することも勿論可能である。
【符号の説明】
【００４５】
１、１０１        眼鏡保持用治具
１０，１１０      サイド固定部
２０，１２０      後方固定部
３０，１３０      連結部材
４０，１４０      眼鏡保持部
１５０            補助眼鏡保持部
５００            眼鏡
【図１】
2013020102.tif 000003
【図２】
2013020102.tif 000004
【図３】
2013020102.tif 000005
【図４】
2013020102.tif 000006
【図５】
2013020102.tif 000007
【図６】
2013020102.tif 000008
【手続補正書】
【提出日】平成23年10月31日(2011.10.31)
【手続補正１】
【補正対象書類名】明細書
【補正対象項目名】００２１
【補正方法】変更
【補正の内容】
【００２１】
後方固定部２０は、利用者の後頭部領域に配置されて、この後頭部領域と当接して固定される。特に本実施形態では、スポンジやゴム、シリコンなどの弾性部材で構成されており、後頭部領域に対して摩擦係合又は髪の毛と係合することによって、頭頂側への移動が規制される。なお、ここでは後頭部領域に１つの後方固定部２０が配置される場合を例示したが、所定の間隔を空けて複数の後方固定部２０を配置しても良く、また、後述する連結部材２０を後頭部領域に直接接触させて、それ自体に後方固定部２０を兼ねさせることもできる。
【手続補正２】
【補正対象書類名】明細書
【補正対象項目名】００２３
【補正方法】変更
【補正の内容】
【００２３】
連結部材３０の途中の２箇所にはヒンジ部１８が設けられており、図２（Ｂ）に示されるように、このヒンジ部１８によって連結部材３０を折りたたむことが可能となっている。なお、連結部材３０の材料は樹脂、金属、シリコンなど自在に選定できる。
【手続補正３】
【補正対象書類名】明細書
【補正対象項目名】００２５
【補正方法】変更
【補正の内容】
【００２５】
次に、この眼鏡保持用治具１の使用方法について説明する。図２（Ｂ）に示されるように、不使用時は、ヒンジ部１８によって連結部材３０を折りたたんで携帯する。使用時は、ヒンジ部１８によって連結部材３０を開放して図２（Ａ）の状態にし、長さ調節機構３５によって連結部材３０の長さを調整しながら、頭部の後方に眼鏡保持用治具１を装着する。その後、利用者が通常使用している眼鏡５００を、眼鏡保持部４０の受け部４６に固定する。眼鏡５００の前後方向の位置は、受け部４６の溝に沿って前後方向に移動させることで調節する。また、眼鏡５００の上下方向の位置は、眼鏡保持部４０の基台４４を上下方向にスライドさせることで調節する。なお、上下方向位置を調節する際は、一旦、眼鏡保持用治具１を頭部から脱着する必要があるが、一旦調節が完了すれば、その後は、殆ど変更する必要は無い。